(57)【要約】      （修正有）【課題】ゴルフ用GPS装置とリモートコンピュータを利用して相互にデータを伝送し、ゴルフプレーヤーの成績データベースを構築して統計分析を行い、プレーヤーの参考に供する、全地球測位システムでゴルフプレーヤーの成績データベースを構築する方法を提供する。【解決手段】ゴルフ用GPS装置が衛星位置座標信号を受信し、前記衛星位置座標信号を演算した結果に基づき対応するゴルフ場の対応するホールの地形、地物及び関連地理情報等を地図及び数字形式で前記ゴルフ用GPS装置またはその他ディスプレイ装置上に表示し、またプレーヤーがプレイ成績及び関連情報を前記ゴルフ用GPS装置に入力し、リモートコンピュータに伝送してプレーヤー成績データベースに記録且つ保存し、プレーヤーのコマンドに基づきデータベースの分析照合を行い、結果を前記ゴルフ用GPS装置またはその他ディスプレイ装置上に伝送して表示することができる。【選択図】図１
2009291610.tif 000002
【特許請求の範囲】
【請求項１】
全地球測位システム（GPS）装置でゴルフプレーヤーの成績データベースを構築する方法において、
GPS装置を、ゴルフ用にデータ伝送回路、成績記録装置及び保存装置を備え、リモートコンピュータと相互にデータを伝送することができるようにし、あらかじめゴルフ場の地理データベースを記憶させ、前記リモートコンピュータ内にゴルフプレーヤー成績データベースを構築することができるようにするステップと、
使用時は、前記ゴルフ用GPS装置が測位用宇宙衛星の発信する衛星位置座標信号を受信し、演算を経て前記ゴルフ用GPS装置の位置座標情報を取得し、且つあらかじめ記憶されたゴルフ場地理データベースと照合し、地図及び数字の形式で対応するホールの地形、地物及び境界輪郭の情報を前記ゴルフ用GPS装置またはその他ディスプレイ装置上に表示してプレーヤーの参考に供することができるようにするステップと、
続いて、プレーヤーはそのプレイの成績及び関連情報を前記ゴルフ用GPS装置に入力し、且つリモートコンピュータのゴルフプレーヤー成績データベースに伝送して記録及び保存し、さらにプレーヤーのコマンドに従い前記プレーヤー成績データベースの統計分析を行い、且つ結果を前記ゴルフ用GPS装置またはその他ディスプレイ装置上に伝送して表示させ、プレーヤーの参考に供するステップと、
を含むことを特徴とする全地球測位システム（GPS）装置でゴルフプレーヤーの成績データベースを構築する方法。
【請求項２】
前記データ伝送回路が有線伝送回路または無線伝送回路とすることができることを特徴とする、請求項１に記載の全地球測位システムでゴルフプレーヤーの成績データベースを構築する方法。
【請求項３】
前記成績記録装置が入力ボタン、タッチ制御モニタ、タッチパネルまたはコントロールスティックとすることができ、環境データやゴルフ場特性データ、またはプレーヤーの生理データ、用具データ及びプレーヤーの打球データ等のプレーヤー成績及び関連情報を記録することができることを特徴とする、請求項１に記載の全地球測位システムでゴルフプレーヤーの成績データベースを構築する方法。
【請求項４】
前記環境データ及びゴルフ場特性データが、プレーヤーのプレイ時の前記ゴルフ場の気象、温度、湿度、日照と風向き及び設置されたティーグラウンド、境界、ハザード、グリーンとホールの修正または追加・削除を行うことができることを特徴とする、請求項１に記載の全地球測位システムでゴルフプレーヤーの成績データベースを構築する方法。
【請求項５】
前記プレーヤーの生理データ及びプレーヤー用具データが、身長、体重、性別と左・右手の打球方式及びグローブ、ボール、クラブ、バギーなどの内容とすることができることを特徴とする、請求項１に記載の全地球測位システムでゴルフプレーヤーの成績データベースを構築する方法。
【請求項６】
前記プレーヤーの打球データが、クラブ番号、打球点位置、落球点位置、打球回数及び打球軌跡を含むことを特徴とする、請求項１に記載の全地球測位システムでゴルフプレーヤーの成績データベースを構築する方法。
【請求項７】
前記ゴルフ場の地理データベースが、地図及び数字形式でティーグラウンド、グリーン、ホール、境界及び池、バンカー、ラフ、樹木等のハザードの輪郭形状、経度、緯度、高度及び相対距離等の地理データを含み、前記ゴルフ用GPS装置またはその他ディスプレイ装置上に表示することができることを特徴とする、請求項１に記載の全地球測位システムでゴルフプレーヤーの成績データベースを構築する方法。
【請求項８】
前記リモートコンピュータに設置されたゴルフプレーヤーの成績データベースが、前記ゴルフ用GPS装置に入力され、且つ記録されたプレーヤーの成績及び関連情報を受信且つ保存し、プレーヤーのコマンドに基づいて前記ゴルフプレーヤーの成績データベースの演算を実行し、演算結果を出力して遠方のプレーヤーの参考に供することを特徴とする、請求項１に記載の全地球測位システムでゴルフプレーヤーの成績データベースを構築する方法。
【請求項９】
前記ゴルフプレーヤーの成績データベースが、複数名のプレーヤーの複数のゴルフ場における複数項の過去の成績及び関連情報の集合であることを特徴とする、請求項１に記載の全地球測位システムでゴルフプレーヤーの成績データベースを構築する方法。
【発明の詳細な説明】
【技術分野】
【０００１】
本発明は全地球測位システム（GPS）でゴルフプレーヤーの成績データベースを構築する方法に関し、特に、プレーヤーがゴルフ用GPS装置とリモートコンピュータを利用し、相互にデータを伝送してプレーヤー成績データベースを構築し、前記プレーヤー成績データベース内の各ゴルフプレーヤーの成績及び関連情報を分析照合し、結果を前記ゴルフ用GPS装置またはその他ディスプレイ装置上に表示してプレーヤーが参考にすることができる、全地球測位システムでゴルフプレーヤーの成績データベースを構築する方法である。
【背景技術】
【０００２】
全地球測位システム（GPS）が米国軍により開発され、政府が民間使用を開放して以来、関連技術及び科学技術製品が絶え間なく登場し、且つ各産業と各レベルに応用され、人々の生活における利便性が大きく増進されており、さらには緊急事件の通報や医療救援の速度が加速されている。
【０００３】
全地球測位システム（GPS）は複数の地球の周りを回る測位用宇宙衛星、地上管制局及びGPS装置から構成される。各測位用宇宙衛星はすべて衛星軌道データ及び時間を搬送する衛星位置座標信号を継続的に発信しており、地上管制局は各測位用宇宙衛星の運転を追跡且つ制御し、それらが正常に衛星位置座標信号を発信できるよう確保している。地表上の各種GPS装置は少なくとも３つの測位用宇宙衛星が発信する衛星位置座標信号を受信し、前記GPS装置の所在地の経度、緯度及び高度等の位置座標情報を演算することができる。
【０００４】
一般的な従来のゴルフ用GPS装置は、衛星位置座標信号を受信して前記ゴルフ用GPS装置の所在地の位置座標情報を演算した後、内蔵されたゴルフ場地図と照合して前記ゴルフ用GPS装置がある（プレーヤーがいる）ゴルフ場内のグリーン、バンカー、池、樹木等の位置関係を表示し、プレーヤーにコース上の各ハザード、グリーン及びホールとプレーヤーの間の距離を告知し、且つプレーヤーの現在のプレイ成績を記録することができるのみである。プレーヤーが自身とその他プレーヤーの現在及びその他ゴルフ場での過去の成績及び関連情報（例：各プレーヤーの個人データ、打球回数、打球点位置、落球点位置等）を知りたい場合、及びプレーヤーやその他プレーヤーの成績情報に対して更なる統計分析を行いたい場合、既存のゴルフ用GPS装置では達成することができない。本発明の全地球測位システムでゴルフプレーヤーの成績データベースを構築する方法は、前記のニーズを満たすために発明されたものであり、ゴルフというスポーツの楽しみを向上することができる。
【発明の概要】
【発明が解決しようとする課題】
【０００５】
本発明の発明者は前述の先行技術の欠点に鑑みて、その各種GPS装置の製造経験と技術の蓄積に基づき、上述の欠点に対して各種解決方法を研究し、継続的な研究と実験、改良を経てついに本発明の新しい全地球測位システムでゴルフプレーヤーの成績データベースを構築する方法の発明に至ったものであり、先行技術において発生する欠点を克服することを意図している。
【０００６】
本発明の目的は、ゴルフ用GPS装置とリモートコンピュータを利用して相互にデータを伝送し、プレーヤー及び各ゴルフプレーヤーの成績データベースを構築すると共に統計分析を行い、前記成績データベースの統計分析結果を前記ゴルフ用GPS装置またはその他ディスプレイ装置上に表示してプレーヤーの参考に供することができる、全地球測位システムでゴルフプレーヤーの成績データベースを構築する方法を提供することにある。
【課題を解決するための手段】
【０００７】
上述の目的に基づき、本発明の全地球測位システムでゴルフプレーヤーの成績データベースを構築する方法は、ゴルフ用GPS（全地球測位システム）装置にあらかじめゴルフ場の地理データベースを記憶しておき、データ伝送回路（有線伝送回路または無線伝送回路）、成績記録装置及び保存装置を備えることで、プレーヤーのプレイの成績及び関連情報を記録且つ保存することができ、さらにリモートコンピュータと相互にデータを伝送することで、前記リモートコンピュータ内にゴルフプレーヤーの成績データベースが構築できる。
【０００８】
使用時は、前記ゴルフ用GPS装置で衛星位置座標信号を受信し、演算を経てその所在地の位置座標情報を取得し、且つあらかじめ設置されたゴルフ場地理データベースと照合し、地図及び数字の形式で対応するホールの地形、地物及び関連地理情報を前記ゴルフ用GPS装置またはその他ディスプレイ装置上に表示し、プレーヤーの参考に供することができる。プレーヤーがプレイの成績及び関連情報を前記ゴルフ用GPS装置に入力することで、前記プレイ成績情報は前記リモートコンピュータに伝送され、前記リモートコンピュータがそのプレーヤーの成績データベースに記録して保存する。プレーヤーのコマンドに従い前記プレーヤー成績データベースを分析照合した後、前記リモートコンピュータは得られた結果を前記ゴルフ用GPS装置またはその他ディスプレイ装置上に伝送して表示させ、プレーヤーの参考に供することができ、プレーヤーとその他プレーヤーの成績を知るという目的を達することができる。
【図面の簡単な説明】
【０００９】
【図１】本発明の全地球測位システムでゴルフプレーヤーの成績データベースを構築する方法の立体外観図である。
【図２】本発明の全地球測位システムでゴルフプレーヤーの成績データベースを構築する方法の動作手順を示すフローチャートである。
【発明を実施するための形態】
【００１０】
本発明の目的、形状、構造装置の特徴及びその効果について、更なる認識と理解を促すため、以下実施例と図面に基づいて詳細に説明する。本発明の全地球測位システムでゴルフプレーヤーの成績データベースを構築する方法を図１に示す。
本発明の全地球測位システムでゴルフプレーヤーの成績データベースを構築する方法は、ゴルフ用GPS（全地球測位システム）装置１０にあらかじめゴルフ場地理データベースを記憶させておき、データ伝送回路（例：有線伝送回路または無線伝送回路）、成績記録装置及び保存装置を備えることで、プレーヤーのプレイ成績及び関連情報を記録且つ保存することができ、且つリモートコンピュータ２０と相互にデータを伝送し、前記リモートコンピュータ２０内にゴルフプレーヤーの成績データベースを構築する。
【００１１】
使用時は、前記ゴルフ用GPS装置１０が少なくとも３つの測位用宇宙衛星が発信する衛星位置座標信号を受信し、演算を経て前記ゴルフ用GPS装置１０の所在地の位置座標情報を取得し、前記あらかじめ記憶されたゴルフ場地理データベースと照合を行い、地図及び数字の形式で対応するホールを前記ゴルフ用GPS装置１０またはその他ディスプレイ装置のモニタ１１上に表示し、プレーヤーの参考に供する。
【００１２】
続いて、プレーヤーはプレイ成績及び関連情報を前記ゴルフ用GPS装置１０に入力することで、前記プレイ成績情報はリモートコンピュータ２０のプレーヤー成績データベースに伝送されて記録・保存される。さらに、プレーヤーのコマンドに基づいて前記プレーヤーの成績データベースの分析照合を行い、且つ得られた結果を前記ゴルフ用GPS装置１０またはその他ディスプレイ装置に伝送してモニタ１１上に表示し、プレーヤーの参考に供することができる。これにより、即時にプレーヤーとその他プレーヤーのプレイ成績の差異を知るという効果及び目的を達することができる。
【００１３】
上述の方法において、前記ゴルフ場地理データベースの地図及び数字形式はティーグラウンド、グリーン、ホール、境界及び池、バンカー、ラフ、樹木等のハザードの輪郭形状、経度、緯度、高さ及び相対距離等の地理データを表示することができる。
【００１４】
上述の方法において、前記ゴルフプレーヤーの成績データベースは複数名のプレーヤーの複数のゴルフ場における複数項の過去の成績データの集合とする。
【００１５】
再度図１に示すように、前記ゴルフ用GPS装置１０上には成績記録装置１２（例：入力ボタン、タッチ制御モニタ、タッチパネル、コントロールスティック等）が設置され、プレーヤーが環境データ（プレイ時の前記ゴルフ場の気象、温度、湿度、日照、風向き等）、ゴルフ場特性データ（ティーグラウンド、境界、ハザード、グリーンとホールの修正または追加・削除等）、プレーヤーの生理データ（身長、体重、性別、左・右打ち等）、プレーヤーの用具データ（グローブ、ボール、クラブ、バギー等）及びプレーヤーの打球データ（クラブ番号、打球点位置、落球点位置、打球回数、打球軌跡等）を入力することができるものとする。
【００１６】
図１と図２に示すように、前記ゴルフ用GPS装置１０の使用時には、次の手順で処理が行われる。
（２０１）まずプログラムを初期化する。
（２０２）測位用宇宙衛星が発信する衛星位置座標信号を受信し、前記衛星位置座標信号を演算して得た結果と前記ゴルフ用GPS装置１０内にあらかじめ設置されたゴルフ場地理データベースを照合し、地図及び数字形式で対応するゴルフ場の地形、地物及び境界輪郭を前記ゴルフ用GPS装置１０またはその他ディスプレイ装置のモニタ１１上に表示する。
（２０３）第何番と入力されたホールのゴルフ場地図データを受信する（このときプレーヤーはプレイの準備を行う）。
（２０４）測位用宇宙衛星から発信された衛星位置座標信号を受信し、前記ゴルフ用GPS装置１０の位置座標情報を演算して前記第何番のホールのゴルフ場地図データ上に前記位置を表示する（このときプレーヤーはプレイを行う）。
（２０５）入力された環境データ、ゴルフ場特性データ、プレーヤーの生理データ、プレーヤーの用具データ及びプレーヤーの打球データ等、各種成績及び関連情報を記録する（このときプレーヤーは成績を記録する）。
（２０６）次の一打に進むと入力されたか否かを判断する。「はい」の場合、手順（２０４）を行う。「いいえ」の場合続いて次の手順（２０７）に進む。
（２０７）次のホールに進むと入力されたか否かを判断する。「はい」の場合、手順（２０３）を行う。「いいえ」の場合続いて次の手順（２０８）に進む。
（２０８）入力されたすべての成績及び関連情報をリモートコンピュータ２０のプレーヤー成績データベースに伝送して保存し、プレーヤーのコマンドに基づいて前記プレーヤーの成績データベースの統計分析を行う。
（２０９）リモートコンピュータ２０から送信される統計分析結果を受信し、且つ前記結果をモニタ１１またはその他ディスプレイ装置上に表示してプレーヤーの参考に供する。以上で終了である。
【００１７】
上述をまとめると、本発明の全地球測位システムでゴルフプレーヤーの成績データベースを構築する方法は、これまでにない新しい方法であり、いかなる刊行物にも掲載されたことがなく、且つ市場にも類似の製品はないため、新規性を備えていることに疑いはない。このほか、本発明の持つ独特の特徴及び機能は従来品をはるかに超えたものであり、確実に進歩性を備えているため、わが国と特許法の発明特許の関連出願要件の規定を満たしているため、法に基づきここに特許を出願するものである。
【００１８】
以上の説明は本発明の最良の具体的実施例に基づくものであり、本発明の構造的特徴はこれに限られず、関連技術を熟知した者が本発明の領域内で容易に思い付く変化や修飾はすべて本発明の特許範囲に含まれるものとする。
【符号の説明】
【００１９】
１０      ゴルフ用GPS装置
１１      モニタ
１２      成績記録装置
２０      リモートコンピュータ
【図１】
2009291610.tif 000003
【図２】
2009291610.tif 000004